(57)【要約】【課題】流量調整弁の出湯のための開度をより正確に決定する。【解決手段】給湯装置１は、給水路に繋がる給湯路の流量を調整する流量調整弁９０と、給湯路の流量を検出する流量センサ１５０と、給湯路から分岐した流路であって、注湯弁を介して浴槽８への注湯を行なうための注湯路と、制御部とを備える。制御部は、浴槽以外への給湯運転を停止した状態で、注湯弁を開いて浴槽への注湯運転を実施しながら流量調整弁の開度を変化させる場合に、流量センサによる検出流量が予め定められた量を示したときの流量調整弁の開度と検出流量とから、流量調整弁の出湯のための開度を決定する。【選択図】図１
2015209983.tif 000002
【特許請求の範囲】
【請求項１】
給水路に繋がる給湯路の流量を調整する流量調整弁と、
給湯路の流量を検出する流量センサと、
給湯路から分岐した流路であって、注湯弁を介して浴槽への注湯を行なうための注湯路と、
各部を制御する制御部と、を備え、
前記制御部は、浴槽以外への給湯運転を停止した状態で、注湯弁を開いて浴槽への注湯運転を実施しながら前記流量調整弁の開度を変化させる場合に、前記流量センサによる検出流量が予め定められた量を示したときの前記流量調整弁の開度と検出流量とから、前記流量調整弁の出湯のための開度を決定するように構成される、給湯装置。
【請求項２】
前記注湯運転における給湯路から注湯路への流量は一定である、請求項１に記載の給湯装置。
【請求項３】
注湯路における前記分岐の部分から浴槽までの途中部に設けられて、当該注湯路にかかる圧力から水位を検出する水位センサと、
注湯路の流路を切替える切替え部と、をさらに備え、
前記制御部は、浴槽以外への給湯運転を停止した状態において、注湯弁を開き、且つ前記切替え部を、給湯路と注湯路の途中部までを連通させ、当該途中部から浴槽までの注湯路を給湯路から分離するよう制御する運転モードにおいて、水位センサの検出出力から、前記流量調整弁の出湯のための開度を決定するように、さらに構成される、請求項１または２に記載の給湯装置。
【請求項４】
前記給湯路は出湯のための先栓を有し、
前記制御部は、
浴槽への注湯運転を停止した状態で、且つ報知部により前記先栓の全開操作を促す報知をする運転モードにおいて、前記流量調整弁の開度を変化させながら、変化させる開度と前記流量センサによる検出流量とから、前記流量調整弁の出湯のための開度を決定するように、さらに構成される、請求項１から３のいずれか１項に記載の給湯装置。
【発明の詳細な説明】
【技術分野】
【０００１】
この発明は給湯装置に関し、特に、流量調整弁の制御機能を有した給湯装置に関する。
【背景技術】
【０００２】
従来、給湯装置においては、給湯装置のカラン（蛇口、シャワー等）側の出湯流路に、給湯流量調整用の流量調整弁が備えられていた。この流量調整弁は、ユーザが蛇口操作することで、カラン側からの出湯を開始し、その後一時停止し、また出湯開始する（これを再出湯ともいう）場合がある。再出湯のときに速やかに予め定めた温度の湯が出るという良好な出湯温度特性を得ることが要求されている。この要求に応えるために、出湯停止後に、流量調整弁の開度を良好な出湯温度特性を得ることが可能な予め定めた開度に設定する方法が提案されている。
【０００３】
しかし、良好な出湯温度特性を得るための開度は一律ではなく給湯装置への入水圧に依存して変化する。つまり、建物の高層階等の低入水圧の場所に給湯装置が設置されている場合は、ユーザが蛇口等の先栓を少し開いただけでは、給湯装置の最低作動流量に達することができず、通常の入水圧を有した給湯装置に比較して、給湯装置の作動遅れ（ボイラーの燃焼開始遅れ）が生じてしまうという課題を有していた。
【０００４】
この課題を解消するために、特許文献１（特開平５−１７２３９４号公報）および特許文献２（特開平５−１７２３９６号公報）においては、過去の制御弁の開度と、そのときの流量の実績に基づき開度−流量特性を学習する構成が記載される。また特許文献３（特開平９−９６４４０号公報）には、給水中に検出する給水流量に基づいて水圧を推定し、推定された水圧に基づき弁制御位置を設定する構成が記載される。
【先行技術文献】
【特許文献】
【０００５】
【特許文献１】特開平５−１７２３９４号公報
【特許文献２】特開平５−１７２３９６号公報
【特許文献３】特開平９−９６４４０号公報
【発明の概要】
【発明が解決しようとする課題】
【０００６】
しかし、特許文献１−３のいずれの方法よりも、出湯のための流量調整弁の開度を正確に決定する方法が望まれていた。
【０００７】
それゆえに本発明の目的は、流量調整弁の出湯のための開度をより正確に決定することができる給湯装置を提供することである。
【課題を解決するための手段】
【０００８】
本発明のある局面に係る給湯装置は、給水路に繋がる給湯路の流量を調整する流量調整弁と、給湯路の流量を検出する流量センサと、給湯路から分岐した流路であって、注湯弁を介して浴槽への注湯を行なうための注湯路と、各部を制御する制御部と、を備える。
【０００９】
制御部は、浴槽以外への給湯運転を停止した状態で、注湯弁を開いて浴槽への注湯運転を実施しながら流量調整弁の開度を変化させる場合に、流量センサによる検出流量が予め定められた量を示したときの流量調整弁の開度と検出流量とから、流量調整弁の出湯のための開度を決定するように構成される。
【００１０】
好ましくは、注湯運転における給湯路から注湯路への流量は一定である。
好ましくは、注湯路における分岐の部分から浴槽までの途中部に設けられて、当該注湯路にかかる圧力から水位を検出する水位センサと、注湯路の流路を切替える切替え部と、をさらに備える。
【００１１】
制御部は、浴槽以外への給湯運転を停止した状態において、注湯弁を開き、且つ切替え部を、給湯路と注湯路の途中部までを連通させ、当該途中部から浴槽までの注湯路を給湯路から分離するよう制御する運転モードにおいて、水位センサの検出出力から、流量調整弁の出湯のための開度を決定するように、さらに構成される。
【００１２】
好ましくは、給湯路は出湯のための先栓を有し、制御部は、浴槽への注湯運転を停止した状態で、且つ報知部により先栓の全開操作を促す報知をする運転モードにおいて、流量調整弁の開度を変化させながら、変化させる開度と流量センサによる検出流量とから、流量調整弁の出湯のための開度を決定するように、さらに構成される。
【発明の効果】
【００１３】
本発明によれば、流量調整弁の出湯のための開度はより正確に決定される。
【図面の簡単な説明】
【００１４】
【図１】本発明の実施の形態１に係る給湯装置の概略ブロック図である。
【図２】本発明の各実施の形態に係るコントローラの概略構成図である。
【図３】本発明の実施の形態１に係る処理フローチャートである。
【図４】本発明の実施の形態１に係る推定テーブルの一例を示す図である。
【図５】本発明の実施の形態１に係るステップテーブルの一例を示す図である。
【図６】本発明の実施の形態２に係る給湯装置の概略ブロック図である。
【図７】本発明の実施の形態２に係る処理フローチャートである。
【図８】本発明の実施の形態２に係るステップテーブルの一例を示す図である。
【図９】本発明の実施の形態３に係る処理フローチャートである。
【図１０】本発明の実施の形態３に係る推定テーブルの一例を示す図である。
【図１１】本発明の実施の形態３に係るステップテーブルの一例を示す図である。
【発明を実施するための形態】
【００１５】
以下この発明の各実施の形態について図面を参照して詳細に説明する。なお各図中同一符号は同一または相当部分を示す。
【００１６】
ここでは、給湯装置の給湯路における流量を調整するための流量調整弁の待機位置を決定するための方法として、実施の形態１〜３を説明する。各実施の形態では、最低作動流量（Minimum Operation Quantity：ＭＯＱ）は給湯装置内を流れる湯水の流量であって、燃焼部（ボイラー）の着火を許可するために参照される基準流量に相当する。また、流量調整弁の待機位置とは出湯のための好ましい開度であって、出湯開始前に（より特定的には出湯停止後の出湯開始に備えて）設定されるべき流量調整弁の開（閉）の程度を示す。また、流量安定を検出するとは、予め定めた時間継続してＭＯＱを検出できたことを示す。
【００１７】
［実施の形態１］
実施の形態１では、給湯装置の出湯経路は、カラン（蛇口、シャワー等の先栓）を介して給湯するための給湯経路と、浴槽に注湯するための注湯経路とを含む。注湯経路を用いて風呂注湯のみが実施される（カランからの給湯はない）風呂注湯単独運転モードにおいて、給湯経路における流量が安定したときの検出流量と、流量調整弁の開度の関係に基づき、良好な出湯温度特性が得られるような流量調整弁の待機位置を決定する。
【００１８】
図１は、本発明の実施の形態１に係る給湯装置１の概略ブロック図である。図１を参照して、給湯装置１は、筐体１ａ内において、熱交換器および燃焼バーナ等が格納された燃焼缶体（以下、単に「缶体」とも称する）３０と、送風ファン３１と、水道水等を給水するための給水路に相当する入水管５０と、バイパス管６０と、出湯管７０と、各部（弁、センサ、ポンプ等）を制御および監視するための制御部に相当するコントローラ１００とを備える。
【００１９】
給水路に相当する入水管５０および出湯管７０の間にはバイパス管６０が配置される。入水管５０には、バイパス管６０への分流を制御するための分配弁８０が介挿接続される。さらに、入水管５０には、温度センサ１１０および流量センサ１５０が配置される。温度センサ１１０は、入水温度を検出する。分配弁８０の開度に応じて、給水量の一部が入水管５０からバイパス管６０へ分流される。全体給水量に対する分流の割合は、分配弁８０の開度に応じて制御される。
【００２０】
流量センサ１５０は、分配弁８０よりも下流側（缶体側）に配置される。したがって、流量センサ１５０によって検出される流量は、缶体３０を通過する流量（給湯流量）を示している。
【００２１】
入水管５０の水で、熱交換器によって所定温度まで加熱された湯は、出湯管７０から出湯される。
【００２２】
出湯管７０は、合流点７５においてバイパス管６０と接続される。したがって、給湯装置１からは、缶体３０から出力された高温湯と、バイパス管６０からの水を混合した適温の湯が、台所や浴室等の給湯栓１９０や、浴槽８内への注湯回路等の所定の給湯箇所に供給される。
【００２３】
給湯路に相当する出湯管７０には、流量調整弁９０および温度センサが設けられる。出湯管７０の温度センサは、出湯管７０のバイパス管６０との合流点７５よりも上流側（缶体側）に配置されて、缶体３０からの出力湯温（以下、缶体温度）を検出する温度センサと、合流点７５よりも下流側（出湯側）に設けられて、バイパス管６０からの水が混合された後の出湯温度を検出する温度センサ１３０を含む。
【００２４】
流量調整弁９０は、給湯流量を制御するために設けられて、図示しないステッピングモータによって開閉度が可変に制御される。具体的には、ステッピングモータは、後述するコントローラ１００からのパルス信号（電力）に同期して回転動作する。流量調整弁９０はステッピングモータの回転軸に連接して設けられ、ステッピングモータの回転に連動して開閉の程度が変更されることによって、弁の開閉に関する正確な位置決めが可能となる。
【００２５】
また、流量調整弁９０の下流側であって、給湯栓１９０へ連通する経路とは別に備えられる注湯路には、浴槽８への注湯（湯の供給）のための注湯弁に相当する注湯電磁弁１３２が設けられる。給湯路から注湯電磁弁１３２を介した注湯路への送出量は注湯流量センサ１３１により計測される。流量センサ１５０および注湯流量センサ１３１は、代表的には、羽根車式流量センサによって構成される。なお、注湯電磁弁１３２に関連して設けられた逆止弁によって、注湯路に送出された湯が流量調整弁９０側に逆流することが防止される。
【００２６】
図１の給湯装置１は風呂の追焚循環回路も有する。追焚循環回路には、図中の矢印“ふろ戻り”で示す戻り回路および矢印“ふろ往き”で示す往き回路が設けられる。戻り回路の上流端（すなわち、浴槽８側）は、浴槽８に設置された循環アダプタ８１の吸込側ノードに接続される。また、往き回路の下流端（すなわち、浴槽８側）は、循環アダプタ８１の吐出側ノードに接続される。
【００２７】
ふろポンプ３３が作動すると、浴槽８からの浴槽水は、循環アダプタ８１の吸込口から、風呂戻り配管および缶体３０の熱交換器、ならびに、風呂往き配管を経由して、循環アダプタ８１の吐出口８６へ至る経路を循環する。これにより、浴槽８（循環アダプタ８１）と缶体３０の熱交換器との間に浴槽水を循環させる追焚循環経路が形成される。
【００２８】
浴槽８への注湯路は追焚循環経路の一部を利用して実現される。注湯路は、注湯電磁弁１３２を経由して、追焚循環経路（戻り経路）に合流するように配置される。注湯電磁弁１３２は、コントローラ１００の開閉切換制御によって注湯の実行および遮断を切換えるように動作する。
【００２９】
図２は本発明の各実施の形態に係るコントローラ１００の概略構成図である。コントローラ１００は、ＣＰＵ（Central Processing Unit）１０１、給湯装置１内の各種の弁、各種のポンプなどに弁の開閉、またはポンプ駆動のための制御信号を送出するとともに、各種センサ（水位センサ、圧力センサ、サーミスタ等の温度センサ、流量センサ等）からの検出信号を入力するためのインターフェイス１０３、ユーザ操作を受付けるための操作部１０４、給湯装置１の運転に関する情報の報知部に相当する出力部１０５、および記憶部１０２を含む。操作部１０４は、運転開始／停止切替え、運転モード切替え、温度・湯量切替え等を指示するためにユーザが操作するスイッチ等を含む。出力部１０５は、運転に係る各種出力（温度、湯量等）および各種メッセージを表示する表示部、音声出力等を含む。
【００３０】
記憶部１０２は、プログラムおよびデータを格納するための揮発性または不揮発性のメモリからなる。記憶部１０２は、推定テーブル１２１、ステップテーブル１２２および中間待機位置データ１２３を格納する。これらテーブルおよびデータの詳細は後述する。
【００３１】
コントローラ１００は、給湯装置１の運転開始スイッチがオン操作された状態で給湯栓１９０が開かれると、流量センサ１５０によって検出される流量が最低作動流量（ＭＯＱ）を超えるのに応じて、缶体３０での燃焼動作をオンする。燃焼動作がオンされると、元ガス電磁弁（図示せず）が開放されて、燃焼バーナへの燃料ガスの供給が開始される。本実施の形態では、缶体３０における湯水のボイラー燃焼および熱交換器による加熱の仕組みはよく知られたものであるから、ここでは説明を繰返さない。
【００３２】
次に、実施の形態１に係る流量調整弁９０の待機位置の決定方法を、図３のフローチャートを参照し説明する。図３のフローチャートは予めプログラムとして記憶部１０２の記憶領域に格納される。ＣＰＵ１０１は、プログラムを記憶部１０２から読出し実行することにより図３に示される処理が実現される。
【００３３】
まず、ＣＰＵ１０１は風呂注湯単独運転モードを実施する（ステップＳ１）。具体的には、浴槽８以外への給湯運転が停止された状態で、且つ各種の弁（分配弁８０、流量調整弁９０、および注湯電磁弁１３２）を予め定めた開度となるよう開制御し（ステップＳ３）、ふろポンプ３３を予め定めた速度で回転駆動する。これにより、浴槽８への注湯速度が一定となるように、単位時間当たり予め定めた流量が給湯経路から注湯経路側へ送出開始される。なお、注湯電磁弁１３２は全開と全閉の２値しか取りえないため、ステップＳ３における注湯電磁弁１３２の“予め定めた開度”とは、「全開」を示す。
【００３４】
流量調整弁９０が予め定めた開度まで制御されて、浴槽８への流量が一定になると、ＣＰＵ１０１は、流量センサ１５０の検出流量から流量安定を検出する（ステップＳ５）。風呂注湯単独運転では、給湯栓１９０からの給湯の影響を排除することができるので、浴槽８への流量（注湯速度）を一定に保持することが可能となり、速やかに、且つ正確に流量安定を検出することができる。
【００３５】
流量安定を検出すると、ＣＰＵ１０１は給湯装置１の給水に係る上水圧を推定し（ステップＳ７）、推定水圧から待機位置を決定する（ステップＳ９）。決定された待機位置は中間待機位置データ１２３として記憶部１０２に格納される。この推定処理および待機位置の決定処理の詳細は後述する。これにより、図３の処理は終了する。なお、中間待機位置データ１２３の「中間」とは、流量調整弁９０の全開開度と全閉開度との真ん中を意味するのではなく、全開開度と全閉開度との間のどこかに設定された開度であることを意味する。
【００３６】
ここで、中間待機位置データ１２３は、流量調整弁９０を駆動するためのステッピングモータの回転角度（単位：ステップ）により示される。ステッピングモータは、ＣＰＵ１０１からのパルス信号に従い回転量（角度、回転方向）が可変に制御されて、ステップ数が多いほど流量調整弁９０は閉まる方向に制御されて、逆に少ないほど開く方向に制御される。通常運転時に、給湯栓１９０が閉じられて出湯が停止（燃焼部におけるボイラー燃焼停止）したときは、ＣＰＵ１０１は流量調整弁９０を待機位置に設定する。具体的には、出湯停止したとき、ステッピングモータの回転位置を、ＣＰＵ１０１が現在位置と認識しているステップ数と、記憶部１０２の中間待機位置データ１２３が示すステップ数の差分ステップ数だけ、待機位置側に移動させる。この移動に連動して流量調整弁９０は出湯停止したときの開度から中間待機位置データ１２３に相当する開度にまで開けられる。これにより、流量調整弁９０を待機位置に設定することができる。なお、流量調整弁９０は、中間待機位置データ１２３が示すステップ数が大きいほど閉まる方向に、且つ小さいほど開く方向に制御される。
【００３７】
次に、ＣＰＵ１０１による水圧の推定（ステップＳ７）を図４と図５を参照して説明する。図４は、本発明の実施の形態１に係る推定テーブル１２１の一例を示す図である。図４では、縦軸に注湯水量（単位：Ｌ／ｍｉｎ）がとられて、横軸に給水に係る水圧（単位：ｋＰａ）がとられる。図４では、横軸に示す異なる水圧のもとで検出される流量調整弁９０の開度と流量センサ１５０の検出流量の関係を特性ＬＡ、ＬＢ、ＬＣおよびＬＤのグラフで示している。ここでは、４種類の特性ＬＡ、ＬＢ、ＬＣおよびＬＤを示すデータとしているが、これに限定されない。なお、これらデータは、予め実験などにより取得されて推定テーブル１２１に登録される。
【００３８】
図５は、図４を用いて推定された水圧に対する流量調整弁９０の待機位置（単位：ステップ）を決定するためのステップテーブル１２２の一例を示す図である。図５では、ステップテーブル１２２の縦軸にステップ数、および横軸に水圧（単位：ＭＰａ）が取られており、予め実験などにより取得されたデータが示される。図５では、推定水圧が高いほど待機位置を示すステップ数は大きくなって流量調整弁９０は閉まる方向に制御されて、推定水圧が低いほど待機位置を示すステップ数は小さくなって流量調整弁９０は開く方向に制御されることが示されている。つまり、図４では、流量調整弁９０の待機位置のステップ数に着目すると、弁の開側（ステップ数が小さい側）から順に特性ＬＡ、ＬＢ、ＬＣおよびＬＤが対応していることが示される。
【００３９】
推定処理では、ＣＰＵ１０１は、ステップＳ３で制御された流量調整弁９０の開度、すなわち出力パルス信号が示すステップ数（ステッピングモータの回転量を表すステップ数）と、ステップＳ５で流量センサ１５０が検出した流量（単位：Ｌ／ｍｉｎ）とに基づき、推定テーブル１２１を検索して、対応する水圧を読出す。例えば、推定テーブル１２１によれば、流量調整弁９０が特性ＬＡのグラフの値である開度（より、開側）を示し、且つ検出された注湯水量が２５Ｌ／ｍｉｎであったとすれば、水圧は２００ｋＰａと推定することができる。続いて、ＣＰＵ１０１は、推定した水圧に基づきステップテーブル１２２を検索し、対応するステップ数を読出す。例えば、推定水圧は低い場合には、２５００ステップが読出される。なお、図５のデータは一例であって、これに限定されるものではない。
【００４０】
このように、風呂注湯単独運転モードにおいて流量安定が検出されたときの、流量調整弁９０の開度と注湯水量の関係が示す特性（特性ＬＡ〜ＬＤのいずれか）から給湯装置１の設置現場における水圧を推定し、推定水圧から流量調整弁の待機位置を決定することができる。
【００４１】
[実施の形態２]
実施の形態２では、浴槽８への注湯経路に設けられた圧力式水位センサの検出値から、流量調整弁の待機位置を決定する。図６は、本発明の実施の形態２に係る給湯装置１Ａの構成図である。図６の給湯装置１Ａの給湯装置１（図１参照）と相違する点は、ドレン処理回路を設ける点にある。他の構成は、図１と同様であるから説明を繰返さない。
【００４２】
ドレン処理回路は、熱交換器において生じたドレンを処理するための回路であって、集水パン（図示せず）と、中和処理槽５２と、ドレンタンク５３と、逆止弁５４と、ドレン導出路（図示せず）とを含む。集水パンによって集水されたドレンは、中和処理槽５２において中和処理が施された後に、ドレンタンク５３に貯留される。ドレンタンク５３に貯留されたドレンは、ドレン導出路により、逆止弁５４を通して追焚循環経路（具体的には、戻り経路）に導出される。ドレン導出路は、３方切換弁５６を経由して追焚循環経路（戻り経路）と接続される。３方切換弁５６は、ドレン排出時には第１の状態に制御されて、ドレン導出路および戻り経路を接続する一方で、通常時には第２の状態に制御されて、ドレン導出路を戻り経路から切り離す。
【００４３】
また、経路の切替えに関する開閉弁である２方弁３７は、閉状態では追焚循環経路（具体的には、風呂戻り循環経路）を遮断する一方で、開状態では、追焚循環経路の遮断を解除する。２方弁３７を閉状態とすることによって、２方弁３７よりも浴槽８側の経路を、追焚循環経路から一時的に切り離すことができる。
【００４４】
本実施の形態では、２方弁３７および３方切換弁５６は注湯路の流路を切替えるための切替部に相当する。動作において、浴槽８への注湯運転時には、２方弁３７は開き、且つ３方切換弁５６は第２の状態となるように制御されて、ドレン導出路を追焚循環経路から切り離した状態で、注湯電磁弁１３２への分岐部によって、給湯経路から分岐供給される湯は、注湯路および追焚循環経路を経由して浴槽８に注湯される。このとき給湯路から分岐した注湯路において上述の分岐部から浴槽８までの途中部に水位センサ３８が介挿されて、ＣＰＵ１０１は水位センサ３８の出力に基づき、浴槽８の水位を検出することができる。水位センサ３８は、圧力式のセンサであって、ＣＰＵ１０１は水位センサ３８の検出値（水位）から水圧を換算（検出）することができる。換算は、予め定められたテーブルを検出水位に基づき検索することにより、または予め定められた演算式に従って算出することにより実施する。
【００４５】
実施の形態２では、コントローラ１００のＣＰＵ１０１は、動作モードに浴槽８への注湯に関する試運転モードを有する。試運転モードでは浴槽８以外への給湯運転が停止している状態（給湯栓１９０は全閉）で注湯運転を実施し、注湯時における水位センサ３８の検出から水圧を取得する。
【００４６】
図７は本発明の実施の形態２に係る給湯装置の注湯に関する試運転モードにおける処理フローチャートである。図８は、本発明の実施の形態２に係るステップテーブル１２２を示す図である。図８に示すように実施の形態２に係る水位センサ３８は７０００ｍｍＨ2Ｏまで圧力（水圧）を検知可能である、すなわち０．０７ＭＰａ以下の低水圧状態を計測することができるとした場合には、給水圧が低圧であったとしても流量調整弁９０の待機位置を決定することができる。図７のフローチャートは予めプログラムとして記憶部１０２に格納され、ＣＰＵ１０１はこのプログラムを記憶部１０２から読出し実行することにより、本実施の形態２に係る待機位置を取得する。
【００４７】
上述の試運転モードにおいて、図７の処理が実行される。予め給湯栓１９０は全閉であるとする。まず、ＣＰＵ１０１は、注湯電磁弁１３２と２方弁３７を開き、且つ３方切換弁５６は第２の状態となるようにそれぞれ制御して、ドレン導出路を追焚循環経路から切り離した状態で、給湯経路から分岐供給される湯を注湯路および追焚循環経路を経由して浴槽８に注湯する（ステップＳ１１）。
【００４８】
ＣＰＵ１０１は、注湯開始から予め定められた時間が経過したとき、給湯装置の２方弁３７を閉止し（ステップＳ１３）、３方切換弁５６をドレンタンク−缶体の経路側に切換える（ステップＳ１５）。これにより浴槽８への給経路（落し込み経路）は閉止されて、水位センサ３８が配置された配管部分には、給水による水道圧がかかることになって、ＣＰＵ１０１は水位センサ３８の検出出力から水道圧を検出する（ステップＳ１７）。なお、風呂の水位確認と水圧確認では、ＣＰＵ１０１は、検出のための値のレンジ幅を切換えることが望ましい。
【００４９】
ＣＰＵ１０１は、検出圧力に基づきステップテーブル１２２（図８参照）を検索し、対応するステップ数を読出すことで、流量調整弁９０の待機位置を決定する（ステップＳ１９）。読出されたステップ数は中間待機位置データ１２３として記憶部１０２に格納される。
【００５０】
なお、本実施の形態２では、給湯装置１Ａはドレン排水に関する３方切換弁５６を備えた構成としたが、給水圧を水位センサにより検出することができる構成であれば、３方切換弁５６を用いる構成に限定されない。
【００５１】
［実施の形態３］
本実施の形態３を実施の形態１の給湯装置１（図１参照）を用いて説明する。図９は、本実施の形態３に係る給湯側の試運転モードの処理フローチャートである。図１０は、本実施の形態３に係る推定テーブル１２１を説明する図である。図１１は、本実施の形態３に係るステップテーブル１２２を説明する図である。
【００５２】
図９を参照して、給湯装置１を設置するための施工時において給湯側の試運転モードを実施する。たとえば、ＣＰＵ１０１は操作部１０４が操作されて給湯側の試運転モードへの切替え指示を入力すると、動作モードを施工時の試運転モードに切替える。
【００５３】
ＣＰＵ１０１は、まず、“給湯栓全開操作を促す旨の通知”を出力部１０５に表示して報知する（ステップＳ２１）。表示に代替して、または表示とともに音声で出力されてもよい。報知内容を確認したユーザ（施工業者など）は、給湯栓１９０を全開となるように操作する。
【００５４】
その後、ＣＰＵ１０１は分配弁８０を缶体３０側に最も流れる状態となるように制御する（ステップＳ２３）。その後、ＣＰＵ１０１は、予め全開位置にしておいた流量調整弁９０を、パルス信号を出力することによって、全開位置から閉側に予め定めた速度で移動するように制御し、この間における各開度（ステップ数）と当該開度における流量センサ１５０からの出力（単位：Ｌ／min）を取得する（ステップＳ２５）。これにより、各ステップ数と、当該ステップ数に対応した缶体３０側の検出流量とを取得することができる。
【００５５】
ＣＰＵ１０１は、取得した（ステップ数，流量）の複数個の組に基づき、図１０の推定テーブル１２１を検索し、検索結果に基づき水圧を推定し（ステップＳ２７）、推定水圧に基づき図１１のステップテーブル１２２を検索し、対応するステップ数を読出す。これにより、流量調整弁９０の待機位置が決定する（ステップＳ２９）。ＣＰＵ１０１は、決定した待機位置を中間待機位置データ１２３として記憶部１０２に格納する。
【００５６】
ここで、水圧推定（ステップＳ２７）について説明する。図１０を参照して、推定テーブル１２１は、異なる水圧のもとで当該試運転モードにおいて測定された流量調整弁９０の開度（ステップ数）と流量センサ１５０の計測流量との関係を示す特性Ｌａ、ＬｂおよびＬｃを示す。特性Ｌａ、ＬｂおよびＬｃは水圧ａ、ｂおよびｃそれぞれにおける関係を示すデータであって、予め実験などにより取得されて推定テーブル１２１に格納される。ＣＰＵ１０１は、検出した複数個の組（ステップ数，流量）が表すグラフの傾きに一致する（または最も近い）特性グラフを、特性Ｌａ、ＬｂおよびＬｃのうちから抽出し、抽出した特性に対応した水圧を、給湯装置１が設置された現場の給水の水圧と推定する。図１０では、３種類の水圧における特性データを示したが、これは１例であって、４種類以上の水圧に対応した特性データが格納されても良い。
【００５７】
ＣＰＵ１０１は、図１０の推定テーブルから推定した水圧に基づき、図１１のステップテーブル１２２を検索する。これにより、給湯装置１が設置された現場の水圧に応じた流量調整弁９０の待機位置（単位：ステップ）を決定する。決定された待機位置は中間待機位置データ１２３として記憶部１０２に格納される。これにより、図９の処理は終了する。
【００５８】
実施の形態１〜３の中間待機位置データ１２３の取得は、給湯装置が設置された現場の水圧が変化しない状況であれば１回実施されれば良く、水圧が変化する状況であれば繰り返し実施して最新の中間待機位置データ１２３に更新しておくことが望ましい。
【００５９】
また、実施の形態１〜３では推定テーブル１２１およびステップテーブル１２２を検索することで流量調整弁９０の待機位置を決定したが、決定方法はテーブル検索に限定されず、例えば、流量と弁開度等から予め定めた演算式を用いて待機位置を算出するようにしてもよい。
【００６０】
給湯装置は、実施の形態１〜３のいずれのプログラムも記憶部１０２に格納しており、いずれの方法であっても、中間待機位置データ１２３を取得することができる。また、給湯装置は、実施の形態１〜３に示した１つを実施するとしてもよい。いずれの方法であっても、給湯装置の通常運転時は、ＣＰＵ１０１は、給湯栓１９０が閉じて出湯が停止した場合には、記憶部１０２の中間待機位置データ１２３が示すステップ数に基づくパルス信号を出力して、流量調整弁９０を待機位置にセットする。これにより、その後に給湯栓１９０が操作されて再出湯する場合には、給水側の水圧の大きさにかかわらず最低作動流量（ＭＯＱ）を速やかに検知することができ、ボイラーの着火動作までの遅延時間を解消し、適切な再出湯温度特性を得ることができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１，１Ａ  給湯装置、３７  ２方弁、３８  水位センサ、５６  ３方切換弁、７０  出湯管、８０  分配弁、９０  流量調整弁、１００  コントローラ、１０１  ＣＰＵ、１０２  記憶部、１０４  操作部、１０５  出力部、１１０，１３０  温度センサ、１２１  推定テーブル、１２２  ステップテーブル、１２３  中間待機位置データ、１３１  注湯流量センサ、１３２  注湯電磁弁、１５０  流量センサ、１９０  給湯栓、ＬＡ，ＬＢ，ＬＣ，ＬＤ，Ｌａ，Ｌｂ，Ｌｃ，Ｌｄ  特性。
【図１】
2015209983.tif 000003
【図２】
2015209983.tif 000004
【図３】
2015209983.tif 000005
【図４】
2015209983.tif 000006
【図５】
2015209983.tif 000007
【図６】
2015209983.tif 000008
【図７】
2015209983.tif 000009
【図８】
2015209983.tif 000010
【図９】
2015209983.tif 000011
【図１０】
2015209983.tif 000012
【図１１】
2015209983.tif 000013